(57)【要約】【課題】  集積紙葉類と帯の施封位置への移動時に、集積紙葉類と帯との間における位置ずれを防止する。【解決手段】  紙葉類を集積する開閉シャッタ１８と、この開閉シャッタ１８の下面側に沿って帯２１を供給する帯供給機構と、開閉シャッタ１８の下方部に設けられ、帯供給機構によって供給される帯２１、及び開閉シャッタ１８の開放により落下される集積紙葉類２６を受取面によって受け取る回動自在なレシーバ２０と、このレシーバ２０の受取面上に突設され、帯２１に局部的に接触して支持する複数の摩擦部材６７と、レシーバ２０の受取面上に摩擦部材６７を介して受け取られた集積紙葉類２６の上面略中央部を押圧することにより、集積紙葉類２６及び帯２１を施封位置２７に移動させるスィーパ２４と、このスィーパ２４によって施封位置２７に移動された集積紙葉類２６に帯２１を巻き付けて施封する帯巻付機構３４とを具備する。【選択図】      図２
2008018967.tif 000002
【特許請求の範囲】
【請求項１】
紙葉類を集積して集積紙葉類とし、開放することにより前記集積紙葉類を落下させる開閉シャッタと、
この開閉シャッタの下面側に沿って帯を供給する帯供給手段と、
前記開閉シャッタの下方部に設けられ、前記帯供給手段によって供給される帯、及び前記開閉シャッタの開放により落下される前記集積紙葉類を受取面によって受け取る回動自在なレシーバと、
このレシーバの受取面上に突設され、前記帯に局部的に接触して支持する複数の突起部と、
前記レシーバの前記受取面上に受け取られた前記集積紙葉類の上面略中央部を押圧することにより、前記レシーバを回動させて前記集積紙葉類及び前記帯を施封位置に移動させる押圧手段と、
この押圧手段によって前記施封位置に移動された前記集積紙葉類に前記帯を巻き付けて施封する施封手段と
を具備したことを特徴とする紙葉類施封装置。
【請求項２】
前記突起部は、摩擦部材によって成形されたことを特徴とする請求項１記載の紙葉類施封装置。
【請求項３】
紙葉類を集積して集積紙葉類とし、開放することにより前記集積紙葉類を落下させる開閉シャッタと、
この開閉シャッタの下面側に該開閉シャッタの開放方向に沿って帯を供給する帯供給手段と、
この帯供給手段により供給される帯をガイドする第１のガイド部と、
前記開閉シャッタの下面部に設けられ、前記第１のガイド部から送り出される前記帯をガイドするもので、前記開閉シャッタの開放動作に基づいて移動することにより前記帯の位置を矯正し、前記第１のガイド部とにより前記帯を前記集積紙葉類に対して直交するように位置決めする第２のガイド部と、
前記開閉シャッタの下方部に設けられ、前記開閉シャッタの開放により落下される前記集積紙葉類、及び前記帯を受け取る回動自在なレシーバと、
このレシーバによって受け取られた前記集積紙葉類の上面略中央部を押圧することにより前記集積紙葉類、及び前記帯を施封位置に移動させる押圧手段と、
この押圧手段によって前記施封位置に移動された前記集積紙葉類に前記帯を巻き付けて施封する施封手段と
を具備したことを特徴とする紙葉類施封装置。
【請求項４】
前記第１のガイド部の帯出口側の稜にＲ部を形成したことを特徴とする請求項３記載の紙葉類施封装置。
【請求項５】
前記第２のガイド部の帯入口側に、前記第１のガイド部の帯出口側から送り出される前記帯の先端部を受ける受け面を傾斜状に形成し、この受け面の下端部を前記第１のガイド部の出口側のＲ部よりも下部側に位置させたことを特徴とする請求項４記載の紙葉類施封装置。
【発明の詳細な説明】
【技術分野】
【０００１】
本発明は、例えば、有価証券などの紙葉類を所定枚数集積してなる集積紙葉類を帯で施封する紙葉類施封装置に関する。
【背景技術】
【０００２】
この種の紙葉類施封装置は、紙葉類を複数枚集積する開閉シャッタを有し、この開閉シャッタの下方部にはレシーバを備えている。  
施封時には、レシーバの受取面上に帯が供給されるとともに、開閉シャッタの開放により集積紙葉類がレシーバの受取面上に落下されて受け取られる。レシーバの受取面上に受け取られた集積紙葉類は、その上面略中央部が押圧手段としてのスィーパによって押し下げられることにより帯とともに施封位置へと移動される。
【０００３】
施封位置へ移動された集積紙葉類はその下面側の両側部が支持板で支持されることにより湾曲され、この状態から帯が巻き付けられてその両端部がスィーパ上で重ね合わされる。そして、この重ね合わされた帯の両端部がヒータにより加熱接着されることにより集積紙葉類が施封されて施封把となる（例えば、特許文献１参照。）。
【特許文献１】特開平１１−１０８１７４号公報  （第４頁、図４）
【発明の開示】
【発明が解決しようとする課題】
【０００４】
しかしながら、従来においては、レシーバの受取面がフラットに形成されていたため、集積紙葉類と帯を施封位置に移動させる際には滑りが生じ、図２０（ａ）に示すように、集積紙葉類１００の下面側と帯１０１との間で位置ずれが生じていた。このため、帯１０１の両端部１０１ａ，１０１ｂを集積紙葉類１００の上面部で重ね合わせると、図２０（ｂ）に示すように、帯１０１の両端部１０１ａ，１０１ｂの重ね合わせに位置ずれが生じ良好に施封できなくなるという問題があった。
【０００５】
本発明は、上記事情に着目してなされたもので、その目的とするところは、集積紙葉類と帯を施封位置に移動させる際に、集積紙葉類と帯との間に位置ずれを生じさせることのないようにした紙葉類施封装置を提供することにある。
【課題を解決するための手段】
【０００６】
上記課題を解決するため、請求項１記載のものは、紙葉類を集積して集積紙葉類とし、開放することにより前記集積紙葉類を落下させる開閉シャッタと、この開閉シャッタの下面側に沿って帯を供給する帯供給手段と、前記開閉シャッタの下方部に設けられ、前記帯供給手段によって供給される帯、及び前記開閉シャッタの開放により落下される前記集積紙葉類を受取面によって受け取る回動自在なレシーバと、このレシーバの受取面上に突設され、前記帯に局部的に接触して支持する複数の突起部と、このレシーバの前記受取面上に受け取られた前記集積紙葉類の上面略中央部を押圧することにより、前記レシーバを回動させて前記集積紙葉類及び前記帯を施封位置に移動させる押圧手段と、この押圧手段によって前記施封位置に移動された前記集積紙葉類に前記帯を巻き付けて施封する施封手段とを具備する。
【０００７】
請求項３記載のものは、紙葉類を集積して集積紙葉類とし、開放することにより前記集積紙葉類を落下させる開閉シャッタと、この開閉シャッタの下面側に該開閉シャッタの開放方向に沿って帯を供給する帯供給手段と、この帯供給手段により供給される帯をガイドする第１のガイド部と、前記開閉シャッタの下面部に設けられ、前記第１のガイド部から送り出される前記帯をガイドするもので、前記開閉シャッタの開放動作に基づいて移動することにより前記帯の位置を矯正し、前記第１のガイド部とにより前記帯を前記集積紙葉類に対して直交するように位置決めする第２のガイド部と、前記開閉シャッタの下方部に設けられ、前記開閉シャッタの開放により落下される前記集積紙葉類、及び前記帯を受け取る回動自在なレシーバと、このレシーバによって受け取られた前記集積紙葉類の上面略中央部を押圧することにより前記集積紙葉類、及び前記帯を施封位置に移動させる押圧手段と、この押圧手段によって前記施封位置に移動された前記集積紙葉類に前記帯を巻き付けて施封する施封手段とを具備する。
【発明の効果】
【０００８】
本発明によれば、集積紙葉類と帯の施封位置への移動時において、集積紙葉類と帯との間における位置ずれを防止でき、良好な施封が可能になる。
【０００９】
また、帯の供給時においては、集積紙葉類に対し帯が直交するように位置決めでき、良好な施封を可能とする。
【発明を実施するための最良の形態】
【００１０】
以下、図面を参照して本発明の実施の形態を詳細に説明する。  
【実施例１】
【００１１】
図１は本発明に係る紙葉類施封装置を組み込んだ紙葉類処理装置を示す概略的構成図である。  
紙葉類処理装置１は、所定枚数、例えば１０００枚の紙葉類を一単位として処理可能に構成され、その一端部側には１０００枚の紙葉類を積層状態で一括して順次自動投入する投入装置２が接続されている。
【００１２】
紙葉類処理装置１は、投入された紙葉類を１枚ずつ取り出す取出部４、取り出された紙葉類を搬送する搬送路７を備えている。また、紙葉類処理装置１は、搬送された紙葉類から模様、寸法、搬送ピッチ等の情報を検出して紙葉類の印刷品質を判別する判別部８、判別結果に応じて紙葉類の搬送方向を切り替える切替部１０、切り替えられた紙葉類を集積する集積部１２、集積された紙葉類を所定枚数づつ施封する施封手段としての施封部１４を備えている。
【００１３】
取出部４の近傍には供給装置１１が設けられ、この供給装置１１は投入装置２から投入された紙葉類を受け取って取出部４へ供給する。取出部４には吸着回転ローラ４ａが設けられ、この吸着回転ローラ４ａは、紙葉類を１枚ずつ所定のピッチで取り出す。
【００１４】
判別部８は、搬送中の紙葉類の重ね取りを検知する重ね取り検知部、紙葉類に付された模様を読み取る読取装置、紙葉類の枚数を計数する計数装置、及び紙葉類の長さを検出する形状検出部等を備えて構成され、搬送路７に沿って順に配設されている。
【００１５】
判別部８において計数、模様読み取り、及び長さ検出に基づいて印刷品質が判別された紙葉類は、その判別結果に応じて集積部１２に集積される。集積部１２は、少なくとも２つの集積装置１２ａ、１２ｂを備えている。
【００１６】
切替部１０は搬送路７に配設された２つの振り分けゲート１０ａ、１０ｂを有し、各ゲート１０ａ，１０ｂを切換えることにより紙葉類の搬送路を切換え、集積部１２の２つの集積装置１２ａ、１２ｂに紙葉類を例えば、１００枚ずつ導くようになっている。
【００１７】
また、施封部１４は、集積装置１２ａ、１２ｂの下方部にそれぞれ配設された２つの把施封装置１４ａ、１４ｂと束施封部１５を備えている。
【００１８】
図２は集積装置１２ａ，１２ｂ及び把施封装置１４ａ，１４ｂを示す正面図である。  
集積装置１２ａ，１２ｂは、搬送ベルト１３によって搬送されてくる紙葉類を羽根１６ａ間に導入させて案内する羽根車１６を備え、この羽根車１６によって案内されてくる紙葉類はその先端部が掻取板１７に当接することにより羽根１６ａ間から掻出されて落下されるようになっている。掻取板１７には所定間隔を存して長手ガイド４６が離間対向され、羽根１６ａ間から掻出されて落下される紙葉類は長手ガイド４６によりガイドされてその長手方向が位置決めされる。羽根車１６の下方部には、開閉シャッタ１８が開閉自在に設けられ、羽根１６ａ間から掻出される紙葉類は開閉シャッタ１８上に落下されて所定枚数（例えば１００枚）集積されて集積紙葉類２６となる。
【００１９】
把施封装置１４ａ，１４ｂはレシーバ２０を回動自在に備え、このレシーバ２０は開閉シャッタ１８の下面側に離間対向されている。レシーバ２０には後で詳しく述べるように突起部としての摩擦部材６７が突設されている。
【００２０】
また、レシーバ２０の上部側には押圧手段としてのスィーパ２４が回動自在に設けられている。レシーバ２０とスィーパ２４とにより後述するように集積紙葉類２６と帯２１とが挟持されて施封位置２７へと移動されるようになっている。
【００２１】
図３は集積装置１２ａ，１２ｂを示す斜視図で、図４はその側面図である。  
集積装置１２ａ，１２ｂの奥側と手前側にはそれぞれ短手ガイド４７，４８が離間対向する状態で配置されている。奥側と手前側の短手ガイド４７，４８間の距離は紙葉類の短手方向の幅寸法よりも略２ｃｍ大きな寸法となっている。奥側の短手ガイド４７には、振動板４９が設けられている。振動板４９は図示しない駆動機構により前後方向に振動される。振動板４９の振動幅は、振動板４９が最大手前方向に出た位置と、手前側の短手ガイド４７との間の距離が紙葉類の短手方向の幅になるように振幅が設定されている。振動板４９の振動により紙葉類に前後方向の振動を付与して紙葉類の短手方向を取り揃えるようになっている。
【００２２】
開閉シャッタ１８は後述する駆動機構により図示矢印で示すように前後方向に移動されて開閉するようになっている。開閉シャッタ１８にはその移動方向に沿って切欠部１８ａが形成されている。手前側の短手ガイド４８の下端部には突起部４８ａが突設されている。開閉シャッタ１８の切欠部１８ａと手前側の短手ガイド４８の突起部４８ａとは入れ子状をなしている。
【００２３】
図５は、開閉シャッタ１８の駆動機構５０を示すものである。  
開閉シャッタ１８はスライダ５４を介してガイドレール５２にスライド自在に取り付けられている。開閉シャッタ１８の前端側の側面部にはピン５３が突設され、このピン５３は駆動アーム５５の長孔５５ａ内に挿入されている。駆動アーム５５は正逆回転する駆動モータ５６の駆動軸５６ａに接続されている。
【００２４】
駆動モータ５６が正逆回転すると、駆動アーム５５が図示矢印で示すように揺動され、これにより、開閉シャッタ１８がガイドシャフト５２に沿って図示矢印で示すように前後方向に移動して開閉するようになっている。
【００２５】
図６は、開閉シャッタ１８の下面側に沿って帯２１を供給する帯供給機構２５を示す斜視図である。  
帯供給機構２５は帯２１を送り出すリール部５８を備えている。この帯２１の送り方向は開閉シャッタ１８の開閉方向と同じ方向となっている。帯２１の一面側には加熱されることにより溶解して接着力を発生する接着剤が塗布されている。帯２１の送り方向にはカッタ５９、第１のガイド部６０、第２のガイド部６１、及び光学センサ６２が配設されている。第２のガイド部６１は、開閉シャッタ１８の下面部に一体的に取り付けられている。
【００２６】
第１及び第２のガイド部６０，６１は帯２１の送り方向に沿って配設され、リール部５８から送り出された帯２１を内部に導入させてガイドするようになっている。
【００２７】
光学センサ６２は発光素子６２ａとこの発光素子６２ａから発光される光を受光する受光素子６２ｂを備えている。開閉シャッタ１８には発光素子６２ａから発光された光を通過させる通孔６３が穿設されている。リール部５８から送り出された帯２１の先端部が発光素子６２ａから発光された光を遮断して受光素子６２ｂが受光しなくなると、リール部５８からの帯２１の送りが停止されるようになっている。
【００２８】
図７は、上記した第１及び第２のガイド部６０，６１を示す側断面図である。  
第１のガイド部６０はブロック状をなし、その内部に帯通路６０ａを有し、出口側の各稜には、図８にも示すようにＲ部６０ｂ，６０ｃが形成されている。
【００２９】
第２のガイド部６１はその内部に帯通路６１ａを有し、入口側は第１のガイド部６０の出口側に近接対向されている。第２のガイド部６１の入口側には、第１のガイド部６０から送り出される帯２１の先端部を受ける受け面としての傾斜面６１ｂが形成されている。傾斜面６１ｂの上下方向の寸法Ｌ１はＲ部６０ｂの上下方向の寸法Ｌ２よりも大とされ、傾斜面６１ｂの下端部はＲ部６０ｂの下端部よりも低く位置している。これにより、第１のガイド部６０によってガイドされてくる帯２１がその出口側のＲ部６０ｂで垂れ下がっても第２のガイド部６１の入口側の傾斜面６１ｂによって受けることができる。従って、第１のガイド部６０の出口側にＲ部６０ｂを形成しても、確実に第２のガイド部６１に導入させることができるようになっている。
【００３０】
図９は、上記したレシーバ２０を示す斜視図である。  
レシーバ２０は帯２１と集積紙葉類２６とを受取面２０ａで受け取り、これをスィーパ２４とにより挟圧保持して施封位置２７へと移動するものである。
【００３１】
レシーバ２０の基端部側にはスプリング６６が設けられている。レシーバ２０はスプリング６６により上方に回動するように付勢され、開閉シャッタ１８に対し平行に位置する。レシーバ２０はスィーパ２４の下方への回動により図１０に示すように集積紙葉類（図示しない）を介して下方に押し付けられることにより、スプリング６６の付勢力に抗して下方に回動されて施封位置２７へと移動するようになっている。
【００３２】
ところで、レシーバ２０の受取面２０ａの両側部には図１１にも示すように、突起部としての摩擦部材６７が突設されている。帯２１は摩擦部材６７に局部的に接触して支持されるようになっている。
【００３３】
なお、開閉シャッタ１８の下面部に第２のガイド部６１を設け、この第２のガイド部６１によって帯２１をガイドするため、レシーバ２０上に摩擦部材６７を突設しても、帯２１が摩擦部材６７に衝突することなく供給することが可能となっている。
【００３４】
また、レシーバ２０の受取面２０ａの両サイドには側方に向かって突出する受け片２０ｂ，２０ｃがそれぞれ配設されている。受け片２０ｂ，２０ｃはレシーバ２０の受取面２０ａ上に載置される集積紙葉類２６が受取面２０ａから落下することのないように集積紙葉類２６を受け止めるものである。
【００３５】
また、施封位置２７には所定間隔を存して一対の支持板２９が対向配置されている。この支持板２９は起立壁３０を有し、この起立壁３０の上面部によって図１２に示すように集積紙葉類２６の下面両側部を支持するようになっている。集積紙葉類２６はその下面両側部が支持板２９の起立壁３０の上面部によって支持された状態でその中央部がスィーパ２４によって下方に押し下げられることにより湾曲されるようになっている。
【００３６】
さらに、施封位置２７には施封手段としての帯巻付機構３４が設けられている。  
帯巻付機構３４は、レシーバ２０の下部側に一対の折曲部材３５，３６、及び第２の折曲手段３７を配設するとともに、レシーバ２０の斜め上方に加熱接着手段３８を設けている。
【００３７】
次に、集積装置１２ａ（１２ｂ）に集積された集積紙葉類２６の施封動作について説明する。  
図２に示すように集積装置１２ａ（１２ｂ）の開閉シャッタ１８上に紙葉類が所定枚数（例えば、１００枚）集積されると、図１３に示すように開閉シャッタ１８が開放されてレシーバ２０上に集積紙葉類２６が落下される。また、このときには、帯供給機構２５により帯２１が供給され、この帯２１は第１及び第２のガイド部６０，６１によってガイドされて開閉シャッタ１８の下面側に沿って送り込まれる。そして、この送り込まれた帯２１の先端部が光学センサ６２の発光素子６２ａから発光された光を遮光して検知されると、帯２１の供給が停止されてカッタ５１により帯２１が切断される。
【００３８】
こののち、図１４に示すようにスィーパ２４が下方に回動されて集積紙葉類２６の略中央部を押し下げる。これにより、集積紙葉類２６と帯２１がスィーパ２４と開閉シャッタ１８とにより挟持された状態で下方の施封位置へと移動される。集積紙葉類２６と帯２１が施封位置に移動されると、図１５（ａ）に示すように集積紙葉類２６の下面側の両側部が支持板２９の上端部に当接されて押し上げられ、湾曲状に変形される。ついで、一対の折曲部材３５，３６が図示しない駆動機構により、斜め上方に向かって上昇されて帯２１の両端部を押し上げる。この押上後、図１５（ｂ）に示すように、集積紙葉類２６の上面部がクランパ４０によって押さえられ、図１５（ｃ）に示すように、一対の折曲部材３５，３６が帯２１の両端部を集積紙葉類２６の側面部に沿って折り曲げて立ち上げる。この立上後、第２の折曲手段３７が図示しない駆動機構により上昇されたのち、図１６（ａ）に示すように、集積紙葉類２６側に向かって移動する。これにより、帯２１の一端部側２１ａがその中途部から集積紙葉類２６の上面部側に向かって折り曲げられ、スィーパ２４の上面部に重ね合わされる。
【００３９】
このように、帯２１の一端部側２１ａを折り曲げたのち、図１６（ｂ）に示すように、加熱接着手段３８が図示しない駆動機構によって集積紙葉類２６側に向かって移動されて、帯２１の他端部側２１ｂを集積紙葉類２６の上面部側に向かって折り曲げ、既に折り曲げられている帯２１の一端部２１ａ上に重ね合わせて加熱する。これにより、帯２１の両端部が接着されて集積紙葉類２６が施封されて紙葉類把となる。
【００４０】
このように集積紙葉類２６が施封されたのち、加熱接着手段３８、一対の折曲部材３５，３６及び第２の折曲手段３７が初期位置へ復帰される。この復帰後、図１７に示すようにスィーパ２４を帯２１から引き抜いたのち、プッシャ４２によって紙葉類把４４をその長手方向に押し出して紙葉類把４４を図１８に示すように排出する。
【００４１】
上記したように、この実施の形態によれば、レシーバ２０の受け面２０ａの両側部に摩擦部材６７を設け、この摩擦部材６７に帯２１を局部的に接触させて支持する。従って、施封位置２７への移動時においては、帯２１と摩擦部材６７との間に大きな摩擦力が発生し、帯２１と集積紙葉類２６との間での位置ずれを防止することができる。
【００４２】
従って、図１９（ａ）に示すように、集積紙葉類２６の下面側に対し、帯２１を直角に供給することができ、施封時においては、図１９（ｂ）に示すように集積紙葉類２６に対し、帯２１を巻き付けてその両端部２１ａ、２１ｂを位置ズレすることなく、重ね合わせて加熱接着することができ、良好な施封が可能となる。
【００４３】
また、開閉シャッタ１８の下面部に第２のガイド部６１を一体的に設け、開閉シャッタ１８の開放動作により第２のガイド部６１を移動させながら帯２１の位置を矯正し、開閉シャッタ１８が完全に開いた状態では、第１のガイド部６０とにより集積紙葉類２６に対して帯２１を直交するように位置決めするため、帯供給時における位置ずれも防止でき、良好な施封が可能となる。
【００４４】
さらに、第１のガイド部６０の出口側の稜には、Ｒ部６０ｂ，６０ｃを形成するため、施封位置２７への移動時において第１のガイド部６０から引き出される帯２１は、出口側のＲ部６０ｂに沿ってスムーズに引き出され、位置ずれを生じることがない。
【００４５】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４６】
【図１】本発明の第１の実施の形態である紙葉類処理装置を概略的に示す正面図。
【図２】図１の紙葉類処理装置に設けられる集積装置及び施封装置を示す正面図。
【図３】図２の集積装置を示す斜視図。
【図４】図２の集積装置を示す側面図。
【図５】図２の集積装置の開閉シャッタの駆動機構を示す図。
【図６】図２の集積装置の開閉シャッタの下部側に帯を供給する帯供給機構を示す斜視図。
【図７】図６の帯供給機構によって供給される帯をガイドする第１及び第２のガイド部を示す側断面図。
【図８】図７の第１のガイド部を示す斜視図。
【図９】図２の施封装置に設けられるレシーバを示す斜視図。
【図１０】図９のレシーバを押し下げるスィーパを示す斜視図。
【図１１】図９のレシーバを拡大して示す斜視図。
【図１２】図２の施封装置に設けられる帯折曲機構を示す構成図。
【図１３】図２の開閉シャッタが開放されて集積紙葉類及び帯がレシーバ上に落下された状態を示す図。
【図１４】図１３のレシーバ上に落下された集積紙葉類及び帯がスィーパにより押し下げられる状態を示す図。
【図１５】図１４のスィーパにより施封位置に押し下げられた集積紙葉類の施封動作を示す図。
【図１６】図１４のスィーパにより施封位置に押し下げられた集積紙葉類の施封動作を示す図。
【図１７】図１６の施封動作により施封された紙葉類把の送り出し動作を示す図。
【図１８】図１７の送出動作により送り出される紙葉類把を示す斜視図。
【図１９】図１５及び図１６の施封動作によって集積紙葉類に巻き付けられる帯の状態を示す図。
【図２０】従来における集積紙葉類に対する帯の巻き付け状態を示す図。
【符号の説明】
【００４７】
１８…開閉シャッタ、２０…レシーバ、２０ａ…受取面、２１…帯、２５…帯供給機構（帯供給手段）、２４…スィーパ（押圧手段）、２６…集積紙葉類、３４…帯巻付機構（施封手段）、４２…プッシャ（押出手段）、６０…第１のガイド部、６０ｂ…Ｒ部、６１…第２のガイド部、６１ｂ…受け面、６７…摩擦部材（突起部）。
【図１】
2008018967.tif 000003
【図２】
2008018967.tif 000004
【図３】
2008018967.tif 000005
【図４】
2008018967.tif 000006
【図５】
2008018967.tif 000007
【図６】
2008018967.tif 000008
【図７】
2008018967.tif 000009
【図８】
2008018967.tif 000010
【図９】
2008018967.tif 000011
【図１０】
2008018967.tif 000012
【図１１】
2008018967.tif 000013
【図１２】
2008018967.tif 000014
【図１３】
2008018967.tif 000015
【図１４】
2008018967.tif 000016
【図１５】
2008018967.tif 000017
【図１６】
2008018967.tif 000018
【図１７】
2008018967.tif 000019
【図１８】
2008018967.tif 000020
【図１９】
2008018967.tif 000021
【図２０】
2008018967.tif 000022